(57)【要約】【課題】例えば、仮設された単管に対して看板を固定できる構成であって、更に仮設単管が縦設状態で設置されたものに対しても横設状態で設置されたものに対しても、看板を立設状態にして取付固定することができる看板取付金具を提供すること。【解決手段】看板１の端部に締付係止する看板係止部２に、継手部３を介して単管４を抱持固定する単管固定部５を揺動自在に連結し、この継手部３は、前記単管固定部５を縦設状態に設置した単管４に抱持固定した場合と，横設状態に設置した単管４に抱持固定した場合とのいずれにおいても，この継手部３を介して看板係止部２を揺動することで看板係止部２に締付係止した看板１を立設状態で取付設置し得る構成とした看板取付金具。【選択図】　　　　図１
2004101752.tif 000002
【特許請求の範囲】
【請求項１】
看板の端部に締付係止する看板係止部に、継手部を介して単管を抱持固定する単管固定部を揺動自在に連結し、この継手部は、前記単管固定部を縦設状態に設置した単管に抱持固定した場合と，横設状態に設置した単管に抱持固定した場合とのいずれにおいても，この継手部を介して看板係止部を揺動することで看板係止部に締付係止した看板を立設状態で取付設置し得る構成としたことを特徴とする看板取付金具。
【請求項２】
前記継手部に前記看板係止部を回動自在に枢着し、この継手部に前記単管固定部を，前記看板係止部の回動軸方向とは異なる軸方向に回動自在に枢着して、単管固定部に対し継手部を介して看板係止部が揺動自在となるように構成したことを特徴とする請求項１記載の看板取付金具。
【請求項３】
前記継手部に第一枢着軸を設けると共に、この第一枢着軸の軸方向と直交する方向に第二枢着軸を設け、この第一枢着軸に前記看板係止部を枢着し、第二枢着軸に前記単管固定部を枢着して、単管固定部に対し継手部を介して看板係止部が揺動自在となるように構成したことを特徴とする請求項１，２のいずれか１項に記載の看板取付金具。
【請求項４】
断面略Ｌ字形を呈する板状の前記継手部の、中間屈曲部を境にした一方の板面に第一枢着軸を設けると共に、他方の板面に第二枢着軸を設け、この第一枢着軸に前記看板係止部を枢着し、第二枢着軸に前記単管固定部を枢着して、単管固定部に対し継手部を介して看板係止部が揺動自在となるように構成したことを特徴とする請求項１〜３のいずれか１項に記載の看板取付金具。
【発明の詳細な説明】
【０００１】
【発明の属する技術分野】
本発明は、例えば、工事現場付近などに設置した仮設単管に対して、工事用看板などを立設状態に取り付けて掲示することができる看板取付金具に関するものである。
【０００２】
【従来の技術及び発明が解決しようとする課題】
従来、この種の看板固定具としては、例えば、特開２００１−１６６６９７号や特開２００２−６９９４７号のように、ガードレールやガードケーブルに対して看板を取り付けできるものがある。
【０００３】
本発明は、この点、例えば、仮設された単管に対して看板を固定できる構成であって、更に仮設単管が縦設状態で設置されたものに対しても横設状態で設置されたものに対しても、看板を立設状態にして取付固定することができる画期的な看板取付金具を提供するものである。
【０００４】
【課題を解決するための手段】
添付図面を参照して本発明の要旨を説明する。
【０００５】
看板１の端部に締付係止する看板係止部２に、継手部３を介して単管４を抱持固定する単管固定部５を揺動自在に連結し、この継手部３は、前記単管固定部５を縦設状態に設置した単管４に抱持固定した場合と，横設状態に設置した単管４に抱持固定した場合とのいずれにおいても，この継手部３を介して看板係止部２を揺動することで看板係止部２に締付係止した看板１を立設状態で取付設置し得る構成としたことを特徴とする看板取付金具に係るものである。
【０００６】
また、前記継手部３に前記看板係止部２を回動自在に枢着し、この継手部３に前記単管固定部５を，前記看板係止部２の回動軸方向とは異なる軸方向に回動自在に枢着して、単管固定部５に対し継手部３を介して看板係止部２が揺動自在となるように構成したことを特徴とする請求項１記載の看板取付金具に係るものである。
【０００７】
また、前記継手部３に第一枢着軸６を設けると共に、この第一枢着軸６の軸方向と直交する方向に第二枢着軸７を設け、この第一枢着軸６に前記看板係止部２を枢着し、第二枢着軸７に前記単管固定部５を枢着して、単管固定部５に対し継手部３を介して看板係止部２が揺動自在となるように構成したことを特徴とする請求項１，２のいずれか１項に記載の看板取付金具に係るものである。
【０００８】
また、断面略Ｌ字形を呈する板状の前記継手部３の、中間屈曲部を境にした一方の板面３Ａに第一枢着軸６を設けると共に、他方の板面３Ｂに第二枢着軸７を設け、この第一枢着軸６に前記看板係止部２を枢着し、第二枢着軸７に前記単管固定部５を枢着して、単管固定部５に対し継手部３を介して看板係止部２が揺動自在となるように構成したことを特徴とする請求項１〜３のいずれか１項に記載の看板取付金具に係るものである。
【０００９】
【発明の実施の形態】
好適と考える本発明の実施の形態（発明をどのように実施するか）を、図面に基づいてその作用効果を示して簡単に説明する。
【００１０】
例えば、予め看板１を設置したい場所に、適宜な手段によって単管４を仮設しておく。
【００１１】
この仮設単管４に単管固定部５を抱持固定することで、仮設単管４に本発明品を固定することができ、この仮設単管４に固定した本発明品の看板係止部２に看板１の端部を締付係止することで、本発明品により仮設単管４に看板１を取付固定することができる。尚、看板１の端部に看板係止部２を締付係止してから、単管固定部５を仮設単管４に固定しても良い。
【００１２】
また、この際、単管固定部５を抱持固定した仮設単管４の設置向きが縦設状態の場合であっても、横設状態の場合であっても、この単管固定部５に対し継手部３を介して看板係止部２を揺動させて単管係止部５に対する角度を変更することで、看板１を立設状態に設置することができる。
【００１３】
従って、仮設単管４の設置態様を選ばず、縦設状態で設置されたものに対しても横設状態で設置されたものに対しても、看板１を立設状態にして取付固定することができる極めて実用性に秀れた画期的な看板取付金具となる。
【００１４】
また、例えば、前記継手部３に前記看板係止部２を回動自在に枢着し、この継手部３に前記単管固定部５を，前記看板係止部２の回動軸方向とは異なる軸方向に回動自在に枢着して、単管固定部５に対し継手部３を介して看板係止部２が揺動自在となるように構成すれば、継手部３を介した看板係止部２と単管固定部５の揺動構造を簡易に設計実現可能となり、一層実用的となる。
【００１５】
また、例えば、前記継手部３に第一枢着軸６を設けると共に、この第一枢着軸６の軸方向と直交する方向に第二枢着軸７を設け、この第一枢着軸６に前記看板係止部２を枢着し、第二枢着軸７に前記単管固定部５を枢着して、単管固定部５に対し継手部３を介して看板係止部２が揺動自在となるように構成すれば、継手部３を介した看板係止部２と単管固定部５の揺動構造を簡易構成により容易に設計実現可能となり、一層実用的となる。
【００１６】
また、例えば、断面略Ｌ字形を呈する板状の前記継手部３の、中間屈曲部を境にした一方の板面に第一枢着軸６を設けると共に、他方の板面に第二枢着軸７を設け、この第一枢着軸６に前記看板係止部２を枢着し、第二枢着軸７に前記単管固定部５を枢着して、単管固定部５に対し継手部３を介して看板係止部２が揺動自在となるように構成すれば、継手部３を介した看板係止部２と単管固定部５の揺動構造並びに第一枢着軸６と第二枢着軸７とを直交方向に配設する構造を簡易構成により容易に設計実現可能となり、一層実用的となる。
【００１７】
【実施例】
本発明の具体的な実施例について図面に基づいて説明する。
【００１８】
本実施例は、図１〜図４に示すように、看板１の端部に締付係止する看板係止部２と、単管４を抱持固定する単管固定部５とを、継手部３を介して揺動自在に連結している。
【００１９】
具体的に説明すると、本実施例の看板係止部２は、看板１の端部に被嵌してこの看板１端部を締付固定し得るように構成している。
【００２０】
更に詳しく説明すると、金属製帯板をコ字状に折曲形成してこのコ字形部２Ａを看板１の端部に被嵌し得るように構成し、このコ字形部２Ａに締付体２Ｂを設けて、この締付体２Ｂでコ字形部２Ａが被嵌した看板１端部を締付固定する構成としている。
【００２１】
また、締付体２Ｂは、コ字形部２Ａの対向する一方の遊離端部に設け、この締付体２Ｂが他方の遊離端部に対して接離移動するように構成している。
【００２２】
また、この締付体２Ｂについて更に詳しく説明すると、基端に操作部８Ａを備えた金属製螺子杆８の先端部に、看板１の端部表裏面に押圧当接する略皿状の金属製押圧部９を遊転自在に設けた構成とし、この締付体２Ｂを構成する螺子杆８をコ字形部２Ａの一方の遊離端部に形成した螺子穴１０に螺着している。
【００２３】
即ち、この締付体２Ｂを構成する螺子杆８を操作部８Ａにより回動操作すると、この螺子杆８の回動螺動により押圧部９がコ字形部２Ａの他方の遊離端部に対して接離移動する構成としている。
【００２４】
従って、単に操作部８Ａで螺子杆８を回動締付操作するだけでこの締付体２Ｂとコ字形部２Ａの他方の遊離端部とでコ字形部２Ａが被嵌した看板１の端部表裏面を挟持締付係止することができ、また、螺子杆８を逆回動させて緩めることで看板１の締付係止を解除できる操作性に秀れた構成としている。
【００２５】
また、本実施例の単管固定部５は、単管４を抱持する抱持部材５Ａと、単管４に圧接する締付体５Ｂとから構成している。
【００２６】
具体的に説明すると、金属製帯板を略コ字状に折曲形成して単管４を抱持し得る抱持部材５Ａを形成している。また、この抱持部材５Ａの一方の遊離端部を外側に凸となるく字状に屈曲形成し、この屈曲遊離端部には、単管４を周り止め係止するための凹凸縁１２を形成している。
【００２７】
また、締付体５Ｂは、前記看板係止部２の締付体２Ｂと同様の構成を採用し、抱持部材５Ａの他方の遊離端部に形成した螺子穴１１を介して螺着している。
【００２８】
即ち、この締付体５Ｂの押圧部９が回動螺動により抱持部材５Ａの対向する一方の遊離端部に対して接離移動するように構成している。
【００２９】
従って、この抱持部材５Ａの凹凸縁１２に単管４の周面を当接させ、締付体５Ｂを回動操作して押圧部９を単管４の周面に押圧当接することで、この単管固定部５に単管４を締付抱持固定できるように構成している。
【００３０】
また、本実施例の継手部３は、前記単管固定部５を縦設状態に設置した単管４に抱持固定した場合と、横設状態に設置した単管４に抱持固定した場合とのいずれにおいても、継手部３を介して看板係止部２を揺動することでこの看板係止部２に締付係止した看板１を立設状態で取付設置し得るように構成している。
【００３１】
具体的に説明すると、継手部３に前記看板係止部２を回動自在に枢着すると共に、前記単管固定部５を看板係止部２の回動軸方向と直交する軸方向に回動自在に枢着して、看板係止部２に対し継手部３を介して単管固定部５が揺動自在となるように構成している。
【００３２】
更に説明すると、継手部３は、上から見て断面略Ｌ字形を呈する金属製板材により構成し、この継手部３の、中間屈曲部を境にした一方の板面３Ａに第一枢着軸６を設けると共に、他方の板面３Ｂに第二枢着軸７を設け、この第一枢着軸６に前記看板係止部２を枢着し、前記第二枢着軸７に前記単管固定部５を枢着している。
【００３３】
また、第一枢着軸６は、一方の板面３Ａの図面における上部にこの板面３Ａを貫通するようにして設けられ、第二枢着軸７は、他方の板面３Ｂの下部にこの板面３Ｂを貫通するようにして設けられている。即ち、この第一枢着軸６と第二枢着軸７とは上下方向に高さを異ならせ、且つ軸方向が互いに直交するように継手部３に設けている。
【００３４】
また、本実施例では、単管固定部５を継手部３に対して回動不能状態とするストッパ構造１３を設けている。
【００３５】
このストッパ構造１３について具体的に説明すると、継手部３の他方の板面３Ｂの上部外側縁（図面右側縁）に、この他方の板面３Ｂに対する一方の板面３Ａの突出方向とは逆方向に向けてストッパ片１４を一体的に突設している。
【００３６】
また、このストッパ片１４は、継手部３の他方の板面３Ｂ外側の中程から上縁にかけて形成され、第二枢着軸７を支点に単管固定部５が図面時計回りに回転させた際には、継手部３に対して抱持部材５Ａが略垂直となったときにこのストッパ片１４の内面に単管固定部５の抱持部材５Ａの側縁が係止して回動不能状態となり、逆に、単管固定部５を図面反時計回りに回転させた際には、継手部３に対して抱持部材５Ａが略水平となったときにこのストッパ片１４の下縁に抱持部材５Ａの側縁が係止して回動不能状態となるように構成している。
【００３７】
即ち、このストッパ片１４によって単管固定部５の回動範囲は継手部３に対し略垂直状態から略水平状態となるまでの略９０度回動範囲に規制される構成とし、これにより単管固定部５が無駄に回動して単管４への固定作業性が損なわれることのないようにしている。
【００３８】
また、図１に示すように、継手部３に対して単管固定部５の抱持部材５Ａを水平にセットし、看板係止部２のコ字形部２Ａも抱持部材５Ａと略平行となるように水平にセットした状態（縦設状態の単管４への使用状態）では、図中に想像線で示したようにコ字形部２Ａの図面下側の側縁が抱持部材５Ａの図面上側の側縁に当接するように、第一枢着軸６・第二枢着軸７に対するコ字形部２Ａ・抱持部材５Ａの枢着位置を設定構成している。
【００３９】
即ち、図１に示す縦設状態の単管４への使用状態では、水平状態となった抱持部材５Ａの図面上側縁がコ字形部２Ａの図面下側縁と前記ストッパ片１４の下縁との二点に当接することによって回動不能状態となり、抱持部材５Ａの水平状態が維持されることになる構成としている。
【００４０】
また、図４に示すように、継手部３に対して単管固定部５の抱持部材５Ａを垂直にセットし、看板係止部２のコ字形部２Ａを水平にセットした状態（横設状態の単管４への使用状態）では、図中に想像線で示したようにコ字形部２Ａの外側面（図面右側面）が抱持部材５Ａの図面左側の側縁に当接するように、第一枢着軸６・第二枢着軸７に対するコ字形部２Ａ・抱持部材５Ａの枢着位置を設定構成している。
【００４１】
即ち、図４に示す横設状態の単管４への使用状態では、垂直状態となった抱持部材５Ａの図面左側縁がコ字形部２Ａの図面右側面に当接し、更に抱持部材５Ａの図面右側縁が前記ストッパ片１４の内側面に当接することによって回動不能状態となり、抱持部材５Ａの垂直状態が維持されることになる構成としている。
【００４２】
従って、このストッパ構造１３により、看板１を看板係止部２に締付係止し、単管固定部５に単管４を固定した使用状態では、単管４が縦設状態の場合も横設状態の場合も単管固定部５が回動することがなく、これにより単管４に対する本取付金具の取付状態が安定的となる構成としている。
【００４３】
尚、このストッパ構造１３は、図１，図４いずれの状態においても、看板係止部２のコ字形部２Ａを水平状態から傾斜状態に回動させることで解除することができる。
【００４４】
即ち、図１の状態から、図２に示すように看板係止部２をコ字形部２Ａの図面手前側部分が伏動するように回動させることで、コ字形部２Ａの図面下側縁が抱持部材５Ａの図面上側縁と離れて単管固定部５が回動可能な状態となり、図３に示すように単管固定部５を略垂直状態に回転させた後に再び看板係止部２を略水平状態に回動させることで、図４の状態にでき、同様にして図４の状態から看板係止部２を回動させて単管固定部５を回動させることで図１の状態にできる構成としている。
【００４５】
また、本実施例では、看板係止部２の前記継手部３に対する回動範囲を規制するストッパ凸部１５を設けている。
【００４６】
具体的に説明すると、図２に示すように、継手部３の一方の板面３Ａの下部内側面を凹設することでこの板面３Ａの下部外側面（図面左側面）にストッパ凸部１５を一体的に突設し、前記第一枢着部６を支点に看板係止部２を図面において時計回り及び反時計回りに回転させた際には、いずれの回動方向においてもこのストッパ凸部１５にコ字形部２Ａの側縁が係止して傾斜状態で回動不能状態となるように構成している（図中想像線部参照）。
【００４７】
従って、これによりこの看板係止部２が無駄に回動することを阻止して、看板１の締付係止作業性が損なわれることのないようにしている。
【００４８】
次に、本実施例の具体的な使用方法を説明する。
【００４９】
例えば、予め看板１を設置したい場所に、適宜な手段によって単管４を仮設しておく。また、工事現場周辺に、単管４を用いて仮構築した柵や、単管４を備えたバリケードなどの単管４を利用しても良い。
【００５０】
仮設単管４が縦設状態で設置されている場合を説明する。
【００５１】
看板係止部２のコ字形部２Ａと単管固定部５の抱持部材５Ａとが略平行状態となるようにセットし（図１参照）、図５に示すように単管係止部５に縦設する単管５を締付抱持固定し、看板係止部２に立設状態とした看板１の左右側縁部を締付係止すると、本取付金具を介して仮設単管４に看板１が立設状態で取付設置される。
【００５２】
仮設単管４が横設状態で設置されている場合を説明する。
【００５３】
看板係止部２のコ字形部２Ａと単管固定部５の抱持部材５Ａとが略垂直状態となるようにセットし（図４参照）、図６に示すように単管係止部５に縦設する単管５を締付抱持固定し、看板係止部２に立設状態とした看板１の左右側縁部を締付係止すると、本取付金具を介して仮設単管４に看板１が立設状態で取付設置される。
【００５４】
また、いずれの場合も、図５，図６に示すように、本取付金具を複数使用し、看板１の左右側縁部の数箇所を看板係止部２で締付係止して安定的に看板１を取付設置した場合を示しているが、この際、図面において看板１の右側端部に看板係止部２を固定する場合には、図１若しくは図４に示した向きで本取付金具を使用し、看板１の左側端部に看板係止部２を固定する場合には、図１若しくは図４の状態から上下逆さまにして本取付金具を使用すると良い。
【００５５】
尚、本発明は、本実施例に限られるものではなく、各構成要件の具体的構成は適宜設計し得るものである。
【００５６】
【発明の効果】
本発明は上述のように構成したから、仮設単管の設置態様を選ばず、縦設状態で設置されたものに対しても横設状態で設置されたものに対しても、看板を立設状態にして取付固定することができる極めて実用性に秀れた画期的な看板取付金具となる。
【００５７】
また、請求項２記載の発明においては、継手部を介した看板係止部と単管固定部の揺動構造を簡易に設計実現可能となる一層実用性に秀れた構成の看板取付金具となる。
【００５８】
また、請求項３記載の発明においては、継手部を介した看板係止部と単管固定部の二軸揺動構造を簡易構成にして容易に設計実現可能となる一層実用性に秀れた構成の看板取付金具となる。
【００５９】
また、請求項４記載の発明においては、継手部を介した看板係止部と単管固定部の二軸揺動構造並びに第一枢着軸と第二枢着軸とを直交方向に配設する構造を簡易構成にして容易に設計実現可能となる一層実用性に秀れた構成の看板取付金具となる。
【図面の簡単な説明】
【図１】本実施例を示す縦設単管に対して固定できるように単管固定部をセットした状態の斜視図である。
【図２】図１の状態から、看板係止部を回動させてストッパ構造を解除し、単管固定部を回動可能とした状態を示す斜視図である。
【図３】図２の状態から、単管固定部を回動させた状態を示す斜視図である。
【図４】本実施例を示す横縦設単管に対して固定できるように単管固定部をセットした状態の斜視図のである。
【図５】本実施例の縦設単管への使用状態を示す説明斜視図である。
【図６】本実施例の横設単管への使用状態を示す説明斜視図である。
【符号の説明】
１　看板
２　看板係止部
３　継手部
３Ａ　板面
３Ｂ　板面
４　単管
５　単管固定部
６　第一枢着軸
７　第二枢着軸
【図１】
2004101752.tif 000003
【図２】
2004101752.tif 000004
【図３】
2004101752.tif 000005
【図４】
2004101752.tif 000006
【図５】
2004101752.tif 000007
【図６】
2004101752.tif 000008